(57)【特許請求の範囲】
【請求項１】
複数のサブフレームが互いに脱着自在に連結されて全体フレームを構成する組立式構造体を形成するための組立式構造体キットであって、
前記サブフレームは、縦枠材と横枠材とで枠組みされた側フレームを含み、
前記縦枠材は、内孔を有するパイプ状の上縦枠部材と、前記内孔にスライド自在に挿入される下縦枠部材と、前記上縦枠部材に対して前記下縦枠部材を自在なスライド位置にてロック及びロック解除を行うロック機構とを含み、
前記ロック機構は、ロック及びロック解除を手操作する操作レバーを含み、
前記下縦枠部材は、その長手方向に延びる長穴を有し、
前記サブフレームは、第１サブフレームと第２サブフレームとを含み、
前記第１サブフレームの上縦枠部材と、前記第２サブフレームの上縦枠部材とを連結するための連結金具を含み、
前記連結金具は、前記第１サブフレームの上縦枠部材に抜け止め保持され、かつ前記上縦枠部材を貫通して前記第２サブフレーム側に延びる連結シャフトを含み、
前記連結シャフトは、前記長穴を通る、
組立式構造体キット。
【請求項２】
前記操作レバー以外の前記ロック機構は、前記上縦枠部材内に収納され、
前記上縦枠部材の側面には、前記操作レバーが通る切欠き口が配される、請求項１に記載の組立式構造体キット。
【請求項３】
前記ロック機構は、前記下縦枠部材の一側面に形成される第１係止部と、前記上縦枠部材に取り付き、かつ前記第１係止部に噛み合い可能な第２係止部を有するロック部材とを含み、
前記操作レバーは、前記ロック部材に配される、請求項１又は２に記載の組立式構造体キット。
【請求項４】
前記第１係止部は、前記下縦枠部材の長手方向に沿って並設される複数の凹溝部を含み、
前記第２係止部は、前記凹溝部に噛み合い可能な１以上の凸条部を含む、請求項３に記載の組立式構造体キット。
【請求項５】
前記凹溝部及び前記凸条部は、それぞれ、矩形歯状をなす、請求項４に記載の組立式構造体キット。
【請求項６】
前記ロック部材は、前記第２係止部が前記第１係止部に噛み合って前記下縦枠部材をロックするロック状態と、前記第２係止部が前記第１係止部から離間してロックを解除する解除状態との間を移動可能に支持される、請求項３ないし５のいずれか１項に記載の組立式構造体キット。
【請求項７】
前記ロック部材は、前記上縦枠部材に設けられた支軸により、前記ロック状態と前記解除状態との間を傾動可能に支持される、請求項６に記載の組立式構造体キット。
【請求項８】
前記ロック機構は、前記ロック部材を前記ロック状態に付勢するロックバネを含む、請求項６又は７に記載の組立式構造体キット。
【請求項９】
複数のサブフレームが互いに脱着自在に連結されて全体フレームを構成する組立式構造体であって、
前記サブフレームは、縦枠材と横枠材とで枠組みされた側フレームを含み、
前記縦枠材は、内孔を有するパイプ状の上縦枠部材と、前記内孔にスライド自在に挿入される下縦枠部材と、前記上縦枠部材に対して前記下縦枠部材を自在なスライド位置にてロック及びロック解除を行うロック機構とを含み、
前記ロック機構は、ロック及びロック解除を手操作する操作レバーを含み、
前記下縦枠部材は、その長手方向に延びる長穴を有し、
前記サブフレームは、第１サブフレームと第２サブフレームとを含み、
前記第１サブフレームの上縦枠部材と、前記第２サブフレームの上縦枠部材とを連結するための連結金具を含み、
前記連結金具は、前記第１サブフレームの上縦枠部材に抜け止め保持され、かつ前記上縦枠部材を貫通して前記第２サブフレーム側に延びる連結シャフトを含み、
前記連結シャフトは、前記長穴を通る、
組立式構造体。
【発明の詳細な説明】
【技術分野】
【０００１】
本発明は、互いに脱着自在な複数のサブフレームからなる組立式構造体キット及びこれら複数のサブフレームが互いに連結されて全体フレームを構成する組立式構造体に関する。
【背景技術】
【０００２】
従来から、仮設のステージ、写真撮影用のひな段、臨時観覧席等の組立式構造体として、複数のサブフレームを互いに連結して全体フレームとする組立式構造体が知られている（例えば、特許文献１参照。）。
【先行技術文献】
【特許文献】
【０００３】
【特許文献１】登録実用新案第３２０６８５７号公報
【発明の概要】
【発明が解決しようとする課題】
【０００４】
しかしながら、従来の組立式構造体では、サブフレームを構成する縦枠材が一定の長さに設定されているため、屋外など起伏や傾斜のある設置面では、組立式構造体を安定させることが難しかった。
【０００５】
なお、縦枠材の下端に、ボルト状の脚部を設け、この脚部の螺進退によって高さ調整する、いわゆるアジャスタ機構を用いることが考えられる。しかしながら、ボルト状の脚部は、高さの調整範囲が狭く、また調整作業に手間と労力を要するという問題があった。
【０００６】
本発明は、高さの調整範囲を広く確保し、高さの調整作業を容易に行い得る組立式構造体キット及び組立式構造体を提供することを課題としている。
【課題を解決するための手段】
【０００７】
本発明は、複数のサブフレームが互いに脱着自在に連結されて全体フレームを構成する組立式構造体を形成するための組立式構造体キットであって、前記サブフレームは、縦枠材と横枠材とで枠組みされた側フレームを含み、前記縦枠材は、内孔を有するパイプ状の上縦枠部材と、前記内孔にスライド自在に挿入される下縦枠部材と、前記上縦枠部材に対して前記下縦枠部材を自在なスライド位置にてロック及びロック解除を行うロック機構とを含み、前記ロック機構は、ロック及びロック解除を手操作する操作レバーを含むことを特徴としている。
【０００８】
本発明に係る組立式構造体キットにおいて、前記操作レバー以外の前記ロック機構は、前記上縦枠部材内に収納され、前記上縦枠部材の側面には、前記操作レバーが通る切欠き口が配されるのが望ましい。
【０００９】
本発明に係る組立式構造体キットにおいて、前記ロック機構は、前記下縦枠部材の一側面に形成される第１係止部と、前記上縦枠部材に取り付き、かつ前記第１係止部に噛み合い可能な第２係止部を有するロック部材とを含み、前記操作レバーは、前記ロック部材に配されるのが望ましい。
【００１０】
本発明に係る組立式構造体キットにおいて、前記第１係止部は、前記下縦枠部材の長手方向に沿って並設される複数の凹溝部を含み、前記第２係止部は、前記凹溝部に噛み合い可能な１以上の凸条部を含むのが望ましい。
【００１１】
本発明に係る組立式構造体キットにおいて、前記凹溝部及び前記凸条部は、それぞれ、矩形歯状をなすのが望ましい。
【００１２】
本発明に係る組立式構造体キットにおいて、前記ロック部材は、前記第２係止部が前記第１係止部に噛み合って前記下縦枠部材をロックするロック状態と、前記第２係止部が前記第１係止部から離間してロックを解除する解除状態との間を移動可能に支持されるのが望ましい。
【００１３】
本発明に係る組立式構造体キットにおいて、前記ロック部材は、前記上縦枠部材に設けられた支軸により、前記ロック状態と前記解除状態との間を傾動可能に支持されるのが望ましい。
【００１４】
本発明に係る組立式構造体キットにおいて、前記ロック機構は、前記ロック部材を前記ロック状態に付勢するロックバネを含むのが望ましい。
【００１５】
本発明に係る組立式構造体キットにおいて、前記下縦枠部材は、その長手方向に延びる長穴を有するのが望ましい。
【００１６】
本発明に係る組立式構造体キットにおいて、前記サブフレームは、第１サブフレームと第２サブフレームとを含み、前記第１サブフレームの上縦枠部材と、前記第２サブフレームの上縦枠部材とを連結するための連結金具を含むのが望ましい。
【００１７】
本発明に係る組立式構造体キットにおいて、前記サブフレームは、第１サブフレームと第２サブフレームとを含み、前記第１サブフレームの上縦枠部材と、前記第２サブフレームの上縦枠部材とを連結するための連結金具を含み、前記連結金具は、前記第１サブフレームの上縦枠部材に抜け止め保持され、かつ前記上縦枠部材を貫通して前記第２サブフレーム側に延びる連結シャフトを含み、前記連結シャフトは、前記長穴を通るのが望ましい。
【００１８】
本発明は、複数のサブフレームが互いに脱着自在に連結されて全体フレームを構成する組立式構造体であって、前記サブフレームは、縦枠材と横枠材とで枠組みされた側フレームを含み、前記縦枠材は、内孔を有するパイプ状の上縦枠部材と、前記内孔にスライド自在に挿入される下縦枠部材と、前記上縦枠部材に対して前記下縦枠部材を自在なスライド位置にてロック及びロック解除を行うロック機構とを含み、前記ロック機構は、ロック及びロック解除を手操作する操作レバーを含むことを特徴としている。
【発明の効果】
【００１９】
本発明の組立式構造体キット及び組立式構造体は、それぞれ、側フレームを構成する縦枠材が、パイプ状の上縦枠部材と、その内孔内にスライド自在に挿入される下縦枠部材と、前記上縦枠部材に対して前記下縦枠部材を自在なスライド位置にてロック及びロック解除を行うロック機構とを含み、前記ロック機構は、ロック及びロック解除を手操作する操作レバーを含んでいる。
【００２０】
このような組立式構造体キット及び組立式構造体は、下縦枠部材のスライド動作によって縦枠材を高さ調整し得るため、調整範囲を広く確保することができる。さらに、このような組立式構造体キット及び組立式構造体は、ロック機構の操作レバーを上縦枠部材の側面側に配することが可能となるため、高さ調整作業をより容易に行うことが可能になる。
【図面の簡単な説明】
【００２１】
【図１】本発明の組立式構造体の一実施形態を示す斜視図である。
【図２】サブフレームと床板とを示す斜視図である。
【図３】（ａ）は縦枠材を内方側から見た側面図、（ｂ）は側方側から見た断面図である。
【図４】縦枠材の斜視図である。
【図５】（ａ）はロック機構を示す縦枠材の長手方向と直角な断面図、（ｂ）はロック機構を示す縦枠材の長手方向に沿った断面図である。
【図６】ロック機構の主要部の斜視図である。
【図７】（ａ）は連結金具を示す縦枠材の長手方向と直角な断面図、（ｂ）はその分解斜視図である。
【図８】（ａ）は他の実施形態の連結金具を示す縦枠材の長手方向と直角な断面図、（ｂ）はその分解斜視図である。
【発明を実施するための形態】
【００２２】
以下、本発明の実施の一形態が、図面に基づき詳細に説明される。
図１は、本実施形態の組立式構造体１を示す斜視図である。図１に示されるように、本実施形態の組立式構造体１は、複数のサブフレーム２が互いに脱着自在に連結された全体フレーム３と、全体フレーム３の上面に載置される複数の床板４とを含んで構成されている。このような組立式構造体１は、例えば、仮設のステージとして好適に用いられる。
【００２３】
組立式構造体１は、例えば、３つのサブフレーム２がそれぞれ連結された２組の全体フレーム３と、その上面に載置される９枚（６枚のみを図示）の床板４とで構成されている。本実施形態は、このような組立式構造体１と、組立式構造体１を形成するためのサブフレーム２、床板４等の部品の集合体である組立式構造体キット１Ａに関するものである。
【００２４】
図２は、１つのサブフレーム２と、その上に載置される１枚の床板４とを示す斜視図である。図２に示されるように、本実施形態のサブフレーム２は、一対の側フレーム５と、一対の側フレーム５間を結合する継ぎ部材６とを有している。各側フレーム５の上面には、例えば、床板４を固定するための複数のピン５ａが突出している。
【００２５】
側フレーム５は、縦枠材８と横枠材９とで枠組みされた略矩形状をなすのが望ましい。本実施形態では、２本の縦枠材８と、この縦枠材８間を上下で継ぐ２本の横枠材９とで枠組みされた場合が例示される。本明細書では、側フレーム５において、縦枠材８が向き合う側を「内方側」、その逆を「外方側」、これら「内方側」及び「外方側」と直交する向きを「側方側」と呼ぶ。
【００２６】
側フレーム５は、２本の縦枠材８の間で２本の横枠材９を継ぐ１本の補助部材５ｂを含むのが望ましい。補助部材５ｂは、例えば、２本の縦枠材８の中間位置に設けられる。本実施形態の補助部材５ｂは、縦枠材８に平行に延びている。補助部材５ｂは、例えば、縦枠材８よりも小さい断面形状を有する部材であってもよい。このような補助部材５ｂは、サブフレーム２の軽量化に役立つ。
【００２７】
本実施形態の継ぎ部材６は、一対の側フレーム５の補助部材５ｂに結合されている。継ぎ部材６は、例えば、周知のヒンジによって屈曲可能に構成される。このため、一対の側フレーム５は、継ぎ部材６が開いた展開状態と、継ぎ部材６が折畳まれた収納状態とを、短時間に変更することができる。
【００２８】
図１及び図２に示されるように、床板４は、例えば、略矩形状の平板で構成されている。床板４は、例えば、アルミニウム等の軽合金により構成されている。本実施形態の床板４は、各サブフレーム２の上面と、隣接する全体フレーム３間とに載置されている。このため、組立式構造体１は、サブフレーム２の個数を少なくするとともに、より多くの床板４を載置することができる。
【００２９】
図３（ａ）は、縦枠材８を内方側から見た側面図であり、図３（ｂ）は、縦枠材８を側方側から見た断面図である。また、図４は、縦枠材８の斜視図である。図３（ａ）、（ｂ）及び図４に示されるように、本実施形態の縦枠材８は、床板４が取付く上縦枠部材１０と、脚部となる下縦枠部材１１と、ロック機構１２とを含んでいる。
【００３０】
上縦枠部材１０は、内孔１０Ｈを有するパイプ状体から構成されるのが望ましい。本実施形態では、上縦枠部材１０に横枠材９が連結される。上縦枠部材１０は、例えば、アルミニウム等の軽合金からなる。上縦枠部材１０の断面形状として、例えば、略矩形状が好適に採用される。
【００３１】
下縦枠部材１１は、内孔１０Ｈ内に、上下にスライド自在に挿入されるのが望ましい。この下縦枠部材１１も、例えば、アルミニウム等の軽合金からなる。下縦枠部材１１の下端には、例えば、ゴム脚等の接地用のベースパッド１３が固着されている。
【００３２】
本実施形態の下縦枠部材１１は、内孔１０Ｈ内に、ガイド部材１４（図３（ｂ）に示す）を介して上下にスライド自在に案内される。ガイド部材１４は、例えば、下縦枠部材１１の上端部に取り付く第１のスライド補助部材１４Ａと、内孔１０Ｈの内周面かつ下端部に取り付く第２のスライド補助部材１４Ｂとを含んでいる。
【００３３】
第１のスライド補助部材１４Ａは、例えば、矩形板状をなしている。第１のスライド補助部材１４Ａの外周面は、内孔１０Ｈの内周面に案内されるのが望ましい。本実施形態の第１のスライド補助部材１４Ａの外周面には、内孔１０Ｈとの接触面積を減じるために、上下に延びる複数のリブ状凸部（図示省略）が設けられる。第２のスライド補助部材１４Ｂは、その内周面により、下縦枠部材１１の各側面を案内するのが望ましい。第２のスライド補助部材１４Ｂの内周面にも、第１のスライド補助部材１４Ａの外周面と同様に、例えば、上下に延びる複数のリブ状凸部（図示省略）が設けられていてもよい。ガイド部材１４としては、これに限定されることなく、種々な構造のものが採用し得る。
【００３４】
図５（ａ）は、ロック機構１２を示す縦枠材８の長手方向と直角な断面図、図５（ｂ）は、ロック機構１２を示す縦枠材８の長手方向に沿った断面図である。図５（ａ）に示されるように、本実施形態の下縦枠部材１１は、主部１６と、後述する第１係止部２１を備える副部１７とを含んで構成されている。
【００３５】
主部１６は、例えば、両側のフランジ部分１８ａ間をウェブ部分１８ｂで継ぐ断面Ｈ状の本体部分１８と、フランジ部分１８ａの外端間を継ぐ継ぎ部分１９とを含む。継ぎ部分１９の巾方向中央には、内方側に向かって凹む凹部１９ａが形成されるのが望ましい。これにより、上縦枠部材１０の外方側の壁部１０ｏと凹部１９ａとの間には、後述する連結金具３０の一部を収納するためにスペースＨ１が形成される。
【００３６】
本体部分１８は、両側のフランジ部分１８ａから向き合う側に突出する突起部１８ｃを備えるのが望ましい。本実施形態の突起部１８ｃとウェブ部分１８ｂとの間には、副部１７が保持される。これにより、上縦枠部材１０の内方側の壁部１０ｉと副部１７との間には、ロック機構１２を収納するためのスペースＨ２が形成される。
【００３７】
次に、本実施形態のロック機構１２が、詳細に説明される。本実施形態のロック機構１２は、上縦枠部材１０に対し、下縦枠部材１１を自在なスライド位置にてロック及びロック解除を行う。このような組立式構造体キット１Ａ及び組立式構造体１は、下縦枠部材１１のスライド動作によって縦枠材８を高さ調整し得るため、調整範囲を広く確保することができる。
【００３８】
図６は、ロック機構１２の主要部の斜視図である。図５（ａ）、（ｂ）及び図６に示されるように、本実施形態のロック機構１２は、ロック及びロック解除を手操作する操作レバー２０を含んでいる。このような組立式構造体キット１Ａ及び組立式構造体１は、ロック機構１２の操作レバー２０を上縦枠部材１０の側面側に配することが可能となるため、高さ調整作業をより容易に行うことが可能になる。
【００３９】
本実施形態では、操作レバー２０以外のロック機構１２は、上縦枠部材１０内に収納されている。すなわち、ロック機構１２は、操作レバー２０のみを上縦枠部材１０の内方側の側面１０Ｓから突出させるのが望ましい。このようなロック機構１２は、破損やゴミの侵入等による動作不良が抑制され得る。また、このような組立式構造体キット１Ａ及び組立式構造体１は、操作レバー２０以外、上縦枠部材１０の側面１０Ｓから突出しないため、縦枠材８がコンパクトになり、搬送性、保管性の向上に貢献し得る。
【００４０】
本実施形態のロック機構１２は、下縦枠部材１１の一側面に形成される第１係止部２１と、上縦枠部材１０に取り付くロック部材２３とを含んでいる。ロック部材２３は、第１係止部２１に噛み合い可能な第２係止部２２を有するのが望ましい。ロック部材２３は、例えば、スペースＨ２内に配されるとともに、このロック部材２３に、操作レバー２０が一体に形成されている。
【００４１】
第１係止部２１は、例えば、下縦枠部材１１の長手方向に沿って並設される複数の凹溝部２１Ａを含む。本実施形態の第１係止部２１は、板状をなす副部１７の内方側の側面に、複数の凹溝部２１Ａが、副部１７の長手方向の略全長に亘って並設される。
【００４２】
第２係止部２２は、凹溝部２１Ａに噛み合い可能な１以上、本実施形態では複数の凸条部２２Ａを含んでいる。凹溝部２１Ａ及び凸条部２２Ａとしては、例えば、矩形歯状の凹凸形状が、好適に採用され得る。このようなロック機構１２は、矩形歯状とすること、及びロック部材２３が複数の凸条部２２Ａを有することで、ロック外れが確実に抑制され得る。凸条部２２Ａの形成数として、５つ以上が好ましい。
【００４３】
図５（ｂ）に示されるように、ロック部材２３は、ロック状態Ｙ１と解除状態Ｙ２との間を移動可能に支持されるのが望ましい。ここで、ロック状態Ｙ１とは、第２係止部２２が第１係止部２１に噛み合って下縦枠部材１１をロックする状態である。また、解除状態Ｙ２とは、第２係止部２２が第１係止部２１から離間してロックを解除する状態である。
【００４４】
本実施形態のロック部材２３は、上縦枠部材１０に設ける支軸２５により、ロック状態Ｙ１と解除状態Ｙ２との間を傾動可能に支持される。このようなロック部材２３は、ロック状態Ｙ１と解除状態Ｙ２とにスムーズに移動させることができる。
【００４５】
ロック機構１２は、さらに、ロック部材２３をロック状態Ｙ１に向かって付勢するロックバネ２６を含むのが望ましい。本実施形態のロックバネ２６は、いわゆるフックバネであって、上縦枠部材１０に設ける支軸２７に保持される。
【００４６】
本実施形態の下縦枠部材１１は、後述する連結金具３０の連結シャフト３１が通るための長穴２８を備えている。長穴２８は、下縦枠部材１１の長手方向に延びるのが望ましい。このような長穴２８は、下縦枠部材１１のスライド移動に際しての連結シャフト３１との干渉を防止することができる。
【００４７】
図１に示されるように、サブフレーム２は、例えば、第１サブフレーム２Ａと第２サブフレーム２Ｂとを含んでいる。ここで、第１サブフレーム２Ａ及び第２サブフレーム２Ｂは、連結金具３０によって互いに連結される一方側、他方側のサブフレーム２を区別するために名付けたものであり、実質的に同構成をなす。
【００４８】
図７（ａ）は、連結金具３０を示す縦枠材８の長手方向と直角な断面図であり、図７（ｂ）はその分解斜視図である。図７（ａ）及び（ｂ）に示されるように、連結金具３０は、例えば、第１サブフレーム２Ａの上縦枠部材１０と、第２サブフレーム２Ｂの上縦枠部材１０とを連結して全体フレーム３を構成するためのものである。ここで、便宜上、第１サブフレーム２Ａの上縦枠部材を１０Ａ、第２サブフレーム２Ｂの上縦枠部材を１０Ｂと呼ぶ場合がある。
【００４９】
本実施形態の連結金具３０は、上縦枠部材１０Ａを貫通して第２サブフレーム２Ｂ側に延びる連結シャフト３１を含んでいる。本実施形態の連結シャフト３１は、第１サブフレーム２Ａに抜け止めされるのが望ましい。
【００５０】
本実施形態の連結金具３０は、連結シャフト３１の内方側の端部に固定された手操作用のノブ３２と、外方側の端部に固定された連結用の係止片３３とを、さらに含んでいる。連結シャフト３１は、上縦枠部材１０Ａの壁部１０ｉ、１０ｏに設ける挿通孔３４により、長手方向にスライド可能に保持されるのが望ましい。
【００５１】
係止片３３は、連結シャフト３１よりも大径な円盤状の基部３３Ａと、その外周から半径方向に突出する少なくとも１つの、本実施形態では２つの突片部３３Ｂとを備える。連結シャフト３１は、この係止片３３とノブ３２とにより、上縦枠部材１０Ａから抜け止めされる。
【００５２】
図中の符号３５は、補強板であって、例えば、ビス等を用いて壁部１０ｏの凹部３６に固定される。凹部３６は、例えば、非連結時、係止片３３の外面と壁部１０ｏの外面とを略面一とするために形成される。なお、補強板３５は、係止片３３と略同一の厚さであるのが望ましい。また、補強板３５には、係止片３３が入る収納孔３５Ｈが形成されるのが望ましい。
【００５３】
連結金具３０は、連結シャフト３１を内方側に付勢するバネ３７を備えるのが望ましい。本実施形態のバネ３７は、連結シャフト３１に固定の例えばＣリング等のリング３８と、壁部１０ｏとの間に介在し、非連結時、連結シャフト３１を内方側の待機位置Ｑで待機させる。
【００５４】
第２サブフレーム２Ｂの上縦枠部材１０Ｂの壁部１０ｏには、例えば、係止片３３と同形状の係止孔３９が配される。このため、連結金具３０は、ノブ３２による押し操作により、係止片３３を係止孔３９に通過させることができる。その後、ノブ３２を例えば半回転させることにより、係止片３３の突片部３３Ｂを係止孔３９に係合でき、上縦枠部材１０Ａ、１０Ｂ間をワンタッチで連結することができる。
【００５５】
図８（ａ）は、他の実施形態の連結金具４０を示す縦枠材８の長手方向と直角な断面図であり、図８（ｂ）はその分解斜視図である。図８（ａ）及び（ｂ）に示されるように、この実施形態の連結金具４０は、上述の連結金具３０と同様に、第１サブフレーム２Ａの上縦枠部材１０と、第２サブフレーム２Ｂの上縦枠部材１０とを連結して全体フレーム３を構成するためのものである。
【００５６】
この実施形態の連結金具４０は、上縦枠部材１０Ａを貫通して第２サブフレーム２Ｂ側に延びる連結シャフト４１を含んでいる。本実施形態の連結シャフト４１は、上述の連結シャフト３１と同様に、第１サブフレーム２Ａに抜け止めされるのが望ましい。
【００５７】
この実施形態の連結金具４０は、連結シャフト４１の内方側の端部に固定された手操作用のノブ４２と、外方側の端部に固定された連結用のネジ部４３とを、さらに含んでいる。連結シャフト４１は、上縦枠部材１０Ａの壁部１０ｉ、１０ｏに設ける挿通孔４４により、長手方向にスライド可能に保持されるのが望ましい。このような連結金具４０は、小さいノブ４２で連結することができるので、連結金具４０とロック機構１２（図３に示す）との距離を小さくすることができ、ひいては、縦枠材８の高さの調整範囲を広く確保することができる。
【００５８】
ネジ部４３は、例えば、２条ネジで構成される。このような連結金具４０は、少ない回転角度で上縦枠部材１０Ａ、１０Ｂ間を連結することができる。
【００５９】
第２サブフレーム２Ｂの上縦枠部材１０Ｂの壁部１０ｏには、例えば、上縦枠部材１０Ａの壁部１０ｏに設けられた挿通孔４４と同形状の挿通孔４５が設けられる。ネジ部４３は、上縦枠部材１０Ｂの挿通孔４５を通り、上縦枠部材１０Ｂの内孔１０Ｈ内に設けられたナット部４６に締結されるのが望ましい。ナット部４６は、例えば、ビス等を用いて上縦枠部材１０Ｂの壁部１０ｏに固定される。
【００６０】
組立式構造体１は、本例の如き仮設のステージの他、例えば、やぐら、観覧席、朝礼台、撮影台、机、いす、仮設ベッド、作業台等の種々の組立式構造体１として構成することができる。
【００６１】
以上、本発明の特に好ましい実施形態について詳述したが、本発明は図示の実施形態に限定されることなく、種々の態様に変形して実施し得る。
【符号の説明】
【００６２】
１    組立式構造体
１Ａ  組立式構造体キット
２    サブフレーム
２Ａ  第１サブフレーム
２Ｂ  第２サブフレーム
３    全体フレーム
５    側フレーム
８    縦枠材
９    横枠材
１０    上縦枠部材
１０Ｈ  内孔
１０Ｓ  側面
１１    下縦枠部材
１２    ロック機構
２０    操作レバー
２１    第１係止部
２１Ａ  凹溝部
２２    第２係止部
２２Ａ  凸条部
２３    ロック部材
２４    切欠き口
２５    支軸
２６    ロックバネ
２８    長穴
３０    連結金具
３１    連結シャフト
Ｙ１    ロック状態
Ｙ２    解除状態
【要約】
【課題】  高さの調整範囲を広く確保し、高さの調整作業を容易に行い得る組立式構造体キット及び組立式構造体を提供する。
【解決手段】  複数のサブフレーム２が互いに脱着自在に連結されて全体フレーム３を構成する組立式構造体１を形成するための組立式構造体キット１Ａである。サブフレーム２は、縦枠材８と横枠材９とで枠組みされた側フレーム５を含んでいる。縦枠材５は、内孔１０Ｈを有するパイプ状の上縦枠部材１０と、内孔１０Ｈにスライド自在に挿入される下縦枠部材１１と、上縦枠部材１０に対して下縦枠部材１１を自在なスライド位置にてロック及びロック解除を行うロック機構１２とを含んでいる。ロック機構１２は、ロック及びロック解除を手操作する操作レバー２０を含んでいる。
【選択図】  図３【図１】
0006947456.tif 000002
【図２】
0006947456.tif 000003
【図３】
0006947456.tif 000004
【図４】
0006947456.tif 000005
【図５】
0006947456.tif 000006
【図６】
0006947456.tif 000007
【図７】
0006947456.tif 000008
【図８】
0006947456.tif 000009